(57)【要約】【課題】天然木の木目模様に現れる照りのある光沢を再現することができるエンボスシート及び化粧シートを提供する。【解決手段】エンボスシート１は、透光性を有するシート状の基材３と、基材３の一方の面３１に互いに間隔を空けて設けられ、入射光を反射する凸形状又は凹形状の複数の反射部２と、を備え、複数の反射部２それぞれは、入射した光を反射する反射主面２１と、反射主面２１及び基材３の間に設けられる第１接続面２３及び第２接続面２２と、を含む反射面２４を有し、複数の反射部２の内の少なくとも一部の反射面２４は、平面視において所定方向に非対称形状である。【選択図】図３
2017217825.tif 000002
【特許請求の範囲】
【請求項１】
透光性を有するシート状の基材と、
前記基材の一方の面に互いに間隔を空けて設けられ、入射光を反射する凸形状又は凹形状の複数の反射部と、を備え、
前記複数の反射部それぞれは、入射した光を反射する反射主面と、前記反射主面及び前記基材の間に設けられる接続面と、を含む反射面を有し、
前記複数の反射部の内の少なくとも一部の反射面は、平面視において所定方向に非対称形状である、エンボスシート。
【請求項２】
前記反射面は、平面視における外周である縁部において、
前記一方の面に沿った第１方向において、それぞれが外向きに凸となるように対向する一対の第１湾曲部と、
前記一方の面に沿うと共に前記第１方向と直交する第２方向において、それぞれが外向きに凸となるように対向する一対の第２湾曲部と、
前記第１湾曲部それぞれと前記第２湾曲部それぞれとを繋ぐ中間部と、を有し、
前記複数の反射部の内の少なくとも一部の反射面は、平面視において前記第１方向に非対称形状である、請求項１記載のエンボスシート。
【請求項３】
前記中間部は、直線状、又は、前記第１湾曲部及び前記第２湾曲部と比較して曲率半径の大きい湾曲線状を呈する、請求項２記載のエンボスシート。
【請求項４】
前記一対の第１湾曲部の前記第１方向における頂点同士を結ぶ第１直線と前記一対の第２湾曲部の前記第２方向における頂点同士を結ぶ第２直線との交点は、前記複数の反射部の内の少なくとも一部において、前記第１直線の中点から前記第１方向にずれた位置にある、請求項２又は３記載のエンボスシート。
【請求項５】
前記交点は、前記複数の反射部の内の少なくとも一部において、前記第１直線の中点から前記第１方向に前記第１直線の長さの１０％以上４０％以下の距離だけずれた位置にある、請求項４記載のエンボスシート。
【請求項６】
前記交点は、前記複数の反射部の内の少なくとも一部において、前記第２直線の中点から前記第２方向にずれた位置にある、請求項４又は５記載のエンボスシート。
【請求項７】
前記交点は、前記複数の反射部の内の少なくとも一部において、前記第２直線の中点から前記第２方向に前記第２直線の長さの１０％以上４０％以下の距離だけずれた位置にある、請求項６記載のエンボスシート。
【請求項８】
前記一対の第１湾曲部の内、前記第１方向における頂点から前記交点までの距離が大きい方の前記第１湾曲部の一端側の前記中間部である第１中間部の両端を通る第３直線と、前記一対の第１湾曲部の内、前記第１方向における頂点から前記交点までの距離が大きい方の前記第１湾曲部の他端側の前記中間部である第２中間部の両端を通る第４直線と、のなす角が、前記複数の反射部の内の一部と他の一部とにおいて互いに異なる、請求項４〜７の何れか一項記載のエンボスシート。
【請求項９】
前記複数の反射部の内の少なくとも一部の反射面は、平面視において前記所定方向に対称形状である、請求項１〜８の何れか一項記載のエンボスシート。
【請求項１０】
請求項１〜９の何れか一項記載のエンボスシートを備える化粧シート。
【発明の詳細な説明】
【技術分野】
【０００１】
本発明は、エンボスシート及び化粧シートに関する。
【背景技術】
【０００２】
従来、内装や家具の表面材に使用される化粧板として、木目模様が印刷された化粧シートを合板等に貼り合わせたものが多く使用されている。このような化粧シートにおいて、木材の質感を表現した意匠性に優れるものが提案されている。例えば、特許文献１に記載された化粧板では、薄く平坦にした針葉樹材に、広葉樹材の木目模様が印刷された透明オレフィン樹脂系シートを貼り合わせることで、優れた意匠性を実現している。
【先行技術文献】
【特許文献】
【０００３】
【特許文献１】特許第３６７２６３６号明細書
【発明の概要】
【発明が解決しようとする課題】
【０００４】
ところで、天然木の木目模様は、照りのある光沢を有する。照りとは、天然木に光が入射した際に正反射方向とは異なる方向に現れる光沢であり、光の入射角度及び観察位置を移動すると、照りの現れる箇所も移動する。本発明者らの知見によれば、照りが生じる箇所の移動には異方性があり、これは天然木の細胞内腔が繊維状であることに起因すると考えられる。すなわち、繊維状の細胞内腔の延在方向に入射した光は概ね正反射方向へと反射されるが、繊維状の細胞内腔の配列方向に入射した光は、細胞内腔の角度によって正反射方向とは異なる方向へと偏向して反射される。この細胞内腔の角度が位置によって変化することで、照りが生じる箇所の移動が生じると考えられる。
【０００５】
このような照りが、天然木の光沢の特徴の一つとなっている。しかしながら、上述したような従来の化粧シートでは、天然木の木目模様に現れる照りのある光沢を再現することが難しかった。
【０００６】
本発明は、このような課題を解決するためになされたものであり、天然木の木目模様に現れる照りのある光沢を再現することができるエンボスシート及び化粧シートを提供することを目的とする。
【課題を解決するための手段】
【０００７】
本発明に係るエンボスシートは、透光性を有するシート状の基材と、基材の一方の面に互いに間隔を空けて設けられ、入射光を反射する凸形状又は凹形状の複数の反射部と、を備え、複数の反射部それぞれは、入射した光を反射する反射主面と、反射主面及び基材の間に設けられる接続面と、を含む反射面を有し、複数の反射部の内の少なくとも一部の反射面は、平面視において所定方向に非対称形状である。
【０００８】
このエンボスシートによれば、基材の一方の面に設けられた複数の反射部の内の少なくとも一部の反射面が、平面視において所定方向に非対称形状である。このため、反射部に対して所定方向に入射した光が、反射主面と接続面とを含む反射面によって、基材の一方の面における正反射角度とは異なる角度に反射される。これにより、光の入射角度又は観察位置を移動した際に、照りの生じる箇所を移動させることができるため、天然木を模した光沢を再現することが可能となる。
【０００９】
上記のエンボスシートでは、反射面は、平面視における外周である縁部において、一方の面に沿った第１方向において、それぞれが外向きに凸となるように対向する一対の第１湾曲部と、一方の面に沿うと共に第１方向と直交する第２方向において、それぞれが外向きに凸となるように対向する一対の第２湾曲部と、第１湾曲部それぞれと第２湾曲部それぞれとを繋ぐ中間部と、を有し、複数の反射部の内の少なくとも一部の反射面は、平面視において第１方向に非対称形状であってもよい。この場合、反射部に対して第１方向に入射した光が、反射主面と接続面とを含む反射面によって、基材の一方の面における正反射角度とは異なる角度に反射される。よって、上記エンボスシートの作用効果を好適に実現することができる。
【００１０】
上記のエンボスシートでは、中間部は、直線状、又は、第１湾曲部及び第２湾曲部と比較して曲率半径の大きい湾曲線状を呈してもよい。この場合、上記エンボスシートの作用効果を好適に実現することができる。
【００１１】
上記のエンボスシートでは、一対の第１湾曲部の第１方向における頂点同士を結ぶ第１直線と一対の第２湾曲部の第２方向における頂点同士を結ぶ第２直線との交点は、複数の反射部の内の少なくとも一部において、第１直線の中点から第１方向にずれた位置にあってもよい。この場合、上記エンボスシートの作用効果を好適に実現することができる。
【００１２】
上記のエンボスシートでは、交点は、複数の反射部の内の少なくとも一部において、第１直線の中点から第１方向に第１直線の長さの１０％以上４０％以下の距離だけずれた位置にあってもよい。この場合、第１直線と第２直線との交点が、第１直線の中点から第１直線の長さの１０％以上の距離だけずれた位置にあることから、反射面に対する反射主面の割合が大きくなる。よって、反射部への入射光を効率良く反射することができる。また、第１直線と第２直線との交点が、第１直線の中点から第１直線の長さの４０％以下の距離だけずれた位置にあることから、一対の第１湾曲部の内、第１方向における頂点から交点までの距離が小さい方の第１湾曲部において、基材の一方の面に対する反射部の立ち上る角度（反射部が凸形状の場合）又は立ち下がる角度（反射部が凹形状の場合）が過大になることが抑制される。よって、基材に反射部を容易に設けることができる。
【００１３】
上記のエンボスシートでは、交点は、複数の反射部の内の少なくとも一部において、第２直線の中点から第２方向にずれた位置にあってもよい。この場合、反射部に対して第１方向に入射した光だけでなく、反射部に対して第２方向に入射した光も、反射主面と接続面とを含む反射面によって、基材の一方の面における正反射角度とは異なる角度に反射される。
【００１４】
上記のエンボスシートでは、交点は、複数の反射部の内の少なくとも一部において、第２直線の中点から第２方向に第２直線の長さの１０％以上４０％以下の距離だけずれた位置にあってもよい。この場合、第１直線と第２直線との交点が、第２直線の中点から第２直線の長さの１０％以上の距離だけずれた位置にあることから、反射面に対する反射主面の割合が大きくなる。よって、反射部への入射光を効率良く反射することができる。また、第１直線と第２直線との交点が、第２直線の中点から第２直線の長さの４０％以下の距離だけずれた位置にあることから、一対の第２湾曲部の内、第２方向における頂点から交点までの距離が小さい方の第２湾曲部において、基材の一方の面に対する反射部の立ち上る角度（反射部が凸形状の場合）又は立ち下がる角度（反射部が凹形状の場合）が過大になることが抑制される。よって、基材に反射部を容易に設けることができる。
【００１５】
上記のエンボスシートでは、一対の第１湾曲部の内、第１方向における頂点から交点までの距離が大きい方の第１湾曲部の一端側の中間部である第１中間部の両端を通る第３直線と、一対の第１湾曲部の内、第１方向における頂点から交点までの距離が大きい方の第１湾曲部の他端側の中間部である第２中間部の両端を通る第４直線と、のなす角が、複数の反射部の内の一部と他の一部とにおいて互いに異なっていてもよい。この場合、基材の一方の面に設けられた複数の反射部の内の一部と他の一部とは、互いに異なる形状を呈している。このため、反射部に対して所定方向に入射した光が、互いに形状の異なる反射主面と接続面とを含む反射面によって、互いに異なる角度であって、且つ、基材の一方の面における正反射角度とは異なる角度にそれぞれ反射される。これにより、光の入射角度又は観察位置を移動した際に、照りの生じる箇所をより複雑に移動させることができるため、天然木を模した光沢をより詳細に再現することが可能となる。
【００１６】
上記のエンボスシートでは、複数の反射部の内の少なくとも一部の反射面は、平面視において所定方向に対称形状であってもよい。ここで、基材の一方の面において、照りを生じさせる必要のない位置には反射部を設けないとすると、非対称形状の反射部が設けられている位置との間で光沢の現れ方に違いが生じてしまう。そこで、照りを生じさせる必要のない位置には対称形状の反射部を設けることにより、非対称形状の反射部が設けられていない位置との間で光沢の現れ方に違いが生じることを抑制することができる。よって、意匠性を向上させることが可能となる。
【００１７】
本発明は、別の側面として、化粧シートに関する。この化粧シートは、上記何れかのエンボスシートを備えて構成される。この化粧シートによれば、上記エンボスシートの作用効果を好適に実現することができる。
【発明の効果】
【００１８】
本発明によれば、天然木の木目模様に現れる照りのある光沢を再現することができる。
【図面の簡単な説明】
【００１９】
【図１】天然木の木目模様の一例を示す図である。
【図２】一実施形態に係る化粧シートを示す断面図である。
【図３】非対称な反射部（反射面）の形状の一例を示す図である。
【図４】図３の反射部の平面図である。
【図５】非対称な反射部（反射面）の形状の他の一例を示す図である。
【図６】図５の反射部の平面図である。
【図７】非対称な反射部（反射面）の形状の他の一例を示す平面図である。
【図８】対称な反射部（反射面）の形状の一例を示す図である。
【図９】非対称な反射部（反射面）と対称な反射部（反射面）とにおける反射光分布を対比して示す図である。
【発明を実施するための形態】
【００２０】
以下、本発明に係るエンボスシート及び化粧シートの実施形態について、図面を用いて詳細に説明する。なお、説明において、同一要素又は同一機能を有する要素には同一符号を用いる場合があり、重複する説明は省略する。また、各図面では、説明を容易にするため、化粧シートの表面に沿った互いに直交する方向をＸ軸方向及びＹ軸方向とすると共に、化粧シートに垂直な方向をＺ軸方向として説明を行う。
【００２１】
まず、エンボスシート及び化粧シートの構成について説明する。図１は、天然木の木目模様の一例を示す図である。図２は、一実施形態に係る化粧シートを示す断面図である。化粧シート５は、天然木を模した光沢を有し、合板等に貼り合わせることで内装や家具の表面材に使用されるものである。図１には、一例として、図中のＹ軸方向に沿って木目模様を有する天然木が示されている。木目模様は、照りのある光沢を有している。すなわち、Ｙ軸方向に光が入射すると、正反射方向とは異なる方向に光沢が現れる。そして、光の入射角度又は観察位置を移動すると、照りの現れる箇所が移動する。
【００２２】
図２に示されるように、化粧シート５は、シート状の下層基材６と、下層基材６上に設けられた木目模様の印刷面４と、下層基材６との間で印刷面４を挟み込むように下層基材６上に配置されたエンボスシート１と、を備えて構成されている。
【００２３】
下層基材６の材料としては特に限定はされないが、例えば熱可塑性樹脂を用いることができる。下層基材６の好適な材料の一例としては、ランダムＰＰ（ポリプロピレン）、ＨＤＰＥ（高密度ポリエチレン）等が挙げられ、また、これらの熱可塑性樹脂に有機又は無機の顔料を添加してもよい。
【００２４】
印刷面４に用いられるインキとしては、例えばウレタン樹脂バインダーに有機又は無機の顔料を添加したものを好適に用いることができるが、これに限定されない。化粧シート５の下層基材６とエンボスシート１との界面（印刷面４）に接着層（図示せず）を追加してもよい。接着層としては、例えばポリプロピレン系の接着性樹脂等を用いることができるが、これに限定されず、化粧シート５の下層基材６とエンボスシート１の密着性等を考慮して適宜選択することができる。また、ポリエステルポリオールにイソシアネート系を混合したアンカー層を化粧シート５の下層基材６と接着層との間に追加してもよい。
【００２５】
次に、エンボスシート１について、詳細に説明する。図３は、非対称な反射部（反射面）の形状の一例を示す図である。図４は、図３の反射部の平面図である。図２〜図４に示されるように、エンボスシート１は、透光性を有するシート状の基材３と、基材３の一方の面３１に設けられて入射光を反射する複数の反射部２と、を備えて構成されている。図３は、複数設けられた反射部２の内の一部である反射部２Ａについて、上面図（図３（ａ））と、一方の面３１に沿ったＹ軸方向（第１方向）に垂直な断面図（図３（ｂ））と、一方の面３１に沿ったＸ軸方向（第２方向）に垂直な断面図（図３（ｃ））とを示している。ここで、Ｘ軸方向とＹ軸方向とは、互いに直交している。図４は、図３（ａ）の反射部２Ａの上面図を示しており、図３（ａ）に示されていない符号等を説明するための図である。反射部２Ａそれぞれは、基材３の一方の面３１に、互いに間隔を空けて２次元的に配列して設けられている。
【００２６】
図３及び図４に示されるように、複数の反射部２Ａそれぞれは、入射した光を反射する反射主面２１と、第１接続面２３及び第２接続面２２とを含む反射面２４を有している。第１接続面２３及び第２接続面２２は、反射主面２１及び基材３の一方の面３１の間に設けられている。反射主面２１は、Ｘ軸方向に垂直な断面において直線状を呈し、入射した光を反射する。反射部２Ａそれぞれは、Ｘ軸方向に垂直な断面における反射主面２１の直線が一方の面３１に対して傾きを有するように形成されている。なお、反射主面２１は、Ｘ軸方向に垂直な断面において湾曲線状を呈していてもよく、この場合、反射部２Ａそれぞれは、Ｘ軸方向に垂直な断面において、反射主面２１のＹ軸方向における中央位置での接線が一方の面３１に対して傾きを有するように形成されている。
【００２７】
図３においては、傾きが所定の角度θ１となるように形成された反射部２Ａが例示されている。ここで、図２に示されるように、エンボスシート１においては、Ｙ軸正方向に向かって一方の面３１に近づくように角度θ１で傾斜する反射主面２１を有する反射部２Ａに加えて、これとはＺＸ平面に関して逆向きに、Ｙ軸負方向に向かって一方の面３１に近づくように角度θ１で傾斜する反射主面２１を有する反射部２Ａとの両方が設けられていてもよい。これにより、Ｘ軸方向に交差する方向に光が入射した場合において、化粧シート５を観察する位置を移動すると、一の観察位置においては明部であった位置が他の観察位置においては暗部となり、且つ、一の観察位置においては暗部であった位置が他の観察位置においては明部となる。
【００２８】
図３及び図４に戻り、第１接続面２３及び第２接続面２２は、Ｘ軸方向に垂直な断面において、反射主面２１と接続する部位が円弧状の領域を含むと共に、当該反射主面２１と基材３の一方の面３１とを接続する。第１接続面２３は、Ｘ軸方向に垂直な断面において、反射主面２１の両端部Ｐ１，Ｐ２の内の一方の面３１との距離が近い方の端部Ｐ１に設けられている。第１接続面２３は、反射主面２１とは反対側の端部Ｐ０において、一方の面３１に接続される。一方、第２接続面２２は、Ｘ軸方向に垂直な断面において、反射主面２１の両端部Ｐ１，Ｐ２の内の一方の面３１との距離が遠い方の端部Ｐ２に設けられている。また、第２接続面２２は、反射主面２１側から順に、第１領域２２ａ、第２領域２２ｂ、及び第３領域２２ｃを含んで構成されている。
【００２９】
第１領域２２ａは、反射主面２１の端部Ｐ２において反射主面２１に接続され、Ｚ軸正方向に凸となる湾曲線状を呈する。第１領域２２ａは、反射主面２１とは反対側の端部Ｐ３において、第２領域２２ｂに接続される。第２領域２２ｂは、第１領域２２ａと接続する方の端部Ｐ３から反対側の端部Ｐ４に向かって一方の面３１に近づくように傾斜している。第２領域２２ｂは、Ｘ軸方向に垂直な断面において直線状を呈している。第２領域２２ｂは、反射主面２１とは反対側の端部Ｐ４において、第３領域２２ｃに接続される。なお、第２領域２２ｂは、Ｘ軸方向に垂直な断面において湾曲線状を呈していてもよい。第３領域２２ｃは、第２領域２２ｂとは反対側の端部Ｐ５において、一方の面３１に接続される。
【００３０】
第１接続面２３及び第２接続面２２に円弧状の領域を設けることによって、Ｙ軸方向からエンボスシート１に入射した光の内、第１接続面２３及び第２接続面２２に入射した光を散乱反射させることができる。なお、反射部２それぞれは、必ずしも第１接続面２３及び第２接続面２２の両方を有している必要はない。例えば、反射部２それぞれは、第１接続面２３を有さずに、端部Ｐ１が一方の面３１に直接接続されるように形成されていてもよい。
【００３１】
一方、反射部２Ａは、図３（ｂ）に示されるように、Ｙ軸方向に垂直な断面においては、全体が湾曲線状を呈する。このような構成により、反射部２Ａは、Ｙ軸方向からエンボスシート１に入射した光を散乱反射させることができる。なお、各図では反射部２Ａは凸形状を呈するものとして示しているが、凹形状を呈していてもよい。
【００３２】
反射部２Ａにおいて、Ｘ軸方向に垂直な断面及びＹ軸方向に垂直な断面の幅は、１０μｍ以上１ｍｍ以下、より好ましくは５０μｍ以上５００μｍ以下となることが望ましい。１０μｍを下回ると、回折光の影響により虹色に光ってしまい、１ｍｍを超えると、反射部２Ａの１つ１つが人の目に視認されやすくなるためである。
【００３３】
次に、反射部２ＡのＺ軸方向視（平面視）における外周である縁部４０の形状について、より詳細に説明する。図３（ａ）及び図４に示されるように、縁部４０は、一対の第１湾曲部４１，４２と、一対の第２湾曲部４３，４４と、中間部４５，４６，４７，４８とを有している。
【００３４】
一対の第１湾曲部４１，４２は、Ｙ軸方向において、それぞれが外向きに凸となるように対向している。具体的には、第１湾曲部４１は、反射部２ＡのＹ軸正方向側に設けられ、Ｙ軸正方向に凸となるように形成されている。また、第１湾曲部４２は、反射部２ＡのＹ軸負方向側に設けられ、Ｙ軸負方向に凸となるように形成されている。第１湾曲部４１は、縁部４０の内、第１接続面２３の外周部分である。第１湾曲部４２は、縁部４０の内、第２接続面２２の第３領域２２ｃの外周部分である。
【００３５】
一対の第１湾曲部４１，４２は、当該第１湾曲部４１，４２のＹ軸方向における頂点４１ａ，４２ａ同士を結ぶ第１直線Ｌ１がＹ軸方向と平行となる位置に形成されている。
【００３６】
一対の第２湾曲部４３，４４は、Ｘ軸方向において、それぞれが外向きに凸となるように対向している。具体的には、第２湾曲部４３は、反射部２ＡのＸ軸正方向側に設けられ、Ｘ軸正方向に凸となるように形成されている。また、第２湾曲部４４は、反射部２ＡのＸ軸負方向側に設けられ、Ｘ軸負方向に凸となるように形成されている。第２湾曲部４３，４４は、縁部４０の内、第２接続面２２の第１領域２２ａの外周部分である。
【００３７】
一対の第２湾曲部４３，４４は、当該第２湾曲部４３，４４のＸ軸方向における頂点４３ａ，４４ａ同士を結ぶ第２直線Ｌ２がＸ軸方向と平行となる位置に形成されている。
【００３８】
中間部４５，４６，４７，４８は、第１湾曲部４１，４２と第２湾曲部４３，４４とを繋いでいる。具体的には、中間部４５は、第１湾曲部４１と第２湾曲部４３とを繋いでおり、中間部４６は、第１湾曲部４１と第２湾曲部４４とを繋いでおり、中間部４７は、第１湾曲部４２と第２湾曲部４３とを繋いでおり、中間部４８は、第１湾曲部４２と第２湾曲部４４とを繋いでいる。
【００３９】
中間部４５，４６，４７，４８は、第１湾曲部４１，４２及び第２湾曲部４３，４４と比較して曲率半径の大きい緩やかな湾曲線状（略直線状）を呈する。中間部４５，４６，４７，４８は、反射部２Ａの外向きに凸となるように形成されている。なお、中間部４５，４６，４７，４８は、直線状を呈していてもよい。
【００４０】
このように形成された反射部２Ａの反射面は、Ｚ軸方向視（平面視）において、Ｙ軸方向（所定方向）に非対称形状である。換言すると、Ｚ軸方向視において、反射部２Ａの反射面２４の縁部４０は、Ｘ軸方向に沿った直線に対して非対称形状である（すなわち、線対称形状ではない）。具体的には、第１直線Ｌ１と第２直線Ｌ２との交点Ｃは、第１直線Ｌ１の中点Ｍ１からＹ軸方向にずれた位置にある。より具体的には、交点Ｃは、第１直線Ｌ１の中点Ｍ１からＹ軸方向に第１直線Ｌ１の長さの１０％以上４０％以下の距離だけずれた位置にある。
【００４１】
ここで、反射部２Ａにおいて、一対の第１湾曲部４１，４２の内、Ｙ軸方向における頂点４１ａ，４２ａから第１直線Ｌ１と第２直線Ｌ２との交点Ｃまでの距離が大きい方の第１湾曲部は、第１湾曲部４１である。そして、このような第１湾曲部４１の一端４１ｂ側の中間部（第１中間部）４５の両端４５ａ，４５ｂを通る直線を第３直線Ｌ３と呼ぶこととする。また、このような第１湾曲部４１の他端４１ｃ側の中間部（第２中間部）４６の両端４６ａ，４６ｂを通る直線を第４直線Ｌ４と呼ぶこととする。このとき、反射部２Ａは、反射面を平面視した際に、第３直線Ｌ３と第４直線Ｌ４とのなす角が所定の角度φ１となるように形成されている。
【００４２】
以上エンボスシート１の反射部２について、一例として、図３及び図４に示される反射部２Ａを説明したが、エンボスシート１は、反射部２Ａとは形状の異なる反射部２である反射部２Ｂを更に備えてもよい。図５は、非対称な反射部（反射面）の形状の他の一例を示す図である。図６は、図５の反射部の平面図である。図５及び図６に示されるように、反射部２Ｂは、縁部４０の形状及びＸ軸方向視における反射主面２１の傾きにおいて、上述した反射部２Ａと相違している。以下、上記相違点について主に説明し、反射部２Ａと同様の構成については、その説明を省略する。
【００４３】
上述したように、反射部２Ａにおいては、中間部４５，４６は、第１湾曲部４１，４２及び第２湾曲部４３，４４と比較して曲率半径の大きい緩やかな湾曲線状を呈していた。これに対し、反射部２Ｂにおいては、中間部４５，４６は、直線状を呈している。
【００４４】
また、反射部２Ｂは、第３直線Ｌ３と第４直線Ｌ４とのなす角が、反射部２Ａにおける角度φ１とは異なる所定の角度φ２となるように形成されている。従って、エンボスシート１において、第３直線Ｌ３と第４直線Ｌ４とのなす角が、複数の反射部２の内の一部である反射部２Ａと、他の一部である反射部２Ｂとにおいて互いに異なっている。
【００４５】
また、反射部２Ｂは、Ｙ軸正方向に向かって一方の面３１に近づくように角度θ２で傾斜する反射主面２１を有している。なお、反射部２Ｂは、これとはＺＸ平面に関して逆向きに、Ｙ軸負方向に向かって一方の面３１に近づくように角度θ２で傾斜する反射主面２１を有していてもよい。
【００４６】
以上説明したように、本実施形態に係るエンボスシート１では、基材３の一方の面３１に設けられた複数の反射部２Ａ，２Ｂの反射面２４が、平面視においてＹ軸方向に非対称形状である。このため、反射部２Ａ，２Ｂに対してＹ軸方向に入射した光が、反射主面２１と第１接続面２３及び第２接続面２２とを含む反射面２４によって、基材３の一方の面３１における正反射角度とは異なる角度に反射される。これにより、光の入射角度又は観察位置を移動した際に、照りの生じる箇所を移動させることができるため、天然木を模した光沢を再現することが可能となる。
【００４７】
具体的には、エンボスシート１では、反射部２Ａ，２Ｂは、平面視における外周である縁部４０において、Ｙ軸方向にそれぞれが外向きに凸となるように対向する一対の第１湾曲部４１，４２と、Ｘ軸方向にそれぞれが外向きに凸となるように対向する一対の第２湾曲部４３，４４と、第１湾曲部４１，４２と第２湾曲部４３，４４とを繋ぐ中間部４５，４６，４７，４８と、を有し、それぞれ複数の反射部２の内の一部である反射部２Ａ，２Ｂの反射面は、平面視においてＹ軸方向に非対称形状である。このため、反射部２Ａ，２Ｂに対してＹ軸方向に入射した光が、反射主面２１と第１接続面２３及び第２接続面２２とを含む反射面２４によって、基材３の一方の面３１における正反射角度とは異なる角度に反射される。よって、上記エンボスシート１の作用効果を好適に実現することができる。
【００４８】
また、エンボスシート１では、中間部４５，４６，４７，４８は、直線状、又は、第１湾曲部４１，４２及び第２湾曲部４３，４４と比較して曲率半径の大きい湾曲線状を呈している。このため、上記エンボスシート１の作用効果を好適に実現することができる。
【００４９】
また、エンボスシート１では、一対の第１湾曲部４１，４２のＹ軸方向における頂点４１ａ，４２ａ同士を結ぶ第１直線Ｌ１と、一対の第２湾曲部４３，４４のＸ軸方向における頂点４３ａ，４４ａ同士を結ぶ第２直線Ｌ２との交点Ｃは、それぞれ複数の反射部２の内の一部である反射部２Ａ，２Ｂにおいて、第１直線Ｌ１の中点Ｍ１からＹ軸方向にずれた位置にある。このため、上記エンボスシート１の作用効果を好適に実現することができる。
【００５０】
また、エンボスシート１では、第１直線Ｌ１と第２直線Ｌ２との交点Ｃは、それぞれ複数の反射部２の内の一部である反射部２Ａ，２Ｂにおいて、第１直線Ｌ１の中点Ｍ１からＹ軸方向に第１直線Ｌ１の長さの１０％以上４０％以下の距離だけずれた位置にある。このため、第１直線Ｌ１と第２直線Ｌ２との交点Ｃが、第１直線Ｌ１の中点Ｍ１から第１直線Ｌ１の長さの１０％以上の距離だけずれた位置にあることから、反射面２４に対する反射主面２１の割合が大きくなる。よって、反射部２Ａ，２Ｂへの入射光を効率良く反射することができる。また、第１直線Ｌ１と第２直線Ｌ２との交点Ｃが、第１直線Ｌ１の中点Ｍ１から第１直線Ｌ１の長さの４０％以下の距離だけずれた位置にあることから、一対の第１湾曲部４１，４２の内、Ｙ軸方向における頂点４１ａ，４２ａから交点Ｃまでの距離が小さい方の第１湾曲部４２において、基材３の一方の面３１に対する反射部２Ａ，２Ｂの立ち上る角度が過大になることが抑制される。よって、基材３に反射部２Ａ，２Ｂを容易に設けることができる。
【００５１】
また、エンボスシート１では、一対の第１湾曲部４１，４２の内、Ｙ軸方向における頂点４１ａ，４２ａから、第１直線Ｌ１と第２直線Ｌ２との交点Ｃまでの距離が大きい方の第１湾曲部４１の一端４１ｂ側の中間部である中間部４５の両端４５ａ，４５ｂを通る第３直線Ｌ３と、第１湾曲部４１の他端４１ｃ側の中間部である中間部４６の両端４６ａ，４６ｂを通る第４直線Ｌ４と、のなす角が、複数の反射部２の内の一部である反射部２Ａと他の一部である反射部２Ｂとにおいて互いに異なっている。すなわち、基材３の一方の面３１に設けられた複数の反射部２の内の一部である反射部２Ａと他の一部である反射部２Ｂとは、互いに異なる形状を呈している。このため、反射部２Ａ，２Ｂに対して所定方向に入射した光が、互いに形状の異なる反射主面２１と第１接続面２３及び第２接続面２２とを含む反射面２４によって、互いに異なる角度であって、且つ、基材３の一方の面３１における正反射角度とは異なる角度にそれぞれ反射される。これにより、光の入射角度又は観察位置を移動した際に、照りの生じる箇所をより複雑に移動させることができるため、天然木を模した光沢をより詳細に再現することが可能となる。
【００５２】
また、本実施形態に係る化粧シート５は、上記エンボスシート１を備えて構成される。このため、化粧シート５によれば、上記エンボスシート１の作用効果を好適に実現することができる。
【００５３】
以上、本発明の一実施形態について説明したが、本発明は、上記実施形態に限定されるものではない。例えば、エンボスシート１は、反射部２として、反射部２Ａ，２Ｂを備えることとしたが、反射部２として、反射部２Ａ，２Ｂの何れか一方のみを備えていてもよい。
【００５４】
また、非対称な反射部（反射面）の形状の他の一例を示す平面図であり、図７に示されるように、反射部２の内の少なくとも一つの反射面２４は、Ｙ軸方向に非対称形状であるだけでなく、Ｘ軸方向にも非対称形状であってもよい。
【００５５】
具体的には、複数の反射部２の内の少なくとも一部である反射部２Ｃにおいて、第１直線Ｌ１と第２直線Ｌ２との交点Ｃは、第１直線Ｌ１の中点Ｍ１からＹ軸方向にずれた位置にあるだけでなく、第２直線Ｌ２の中点Ｍ２からＸ軸方向にずれた位置にあってもよい。この場合、反射部２Ｃに対してＹ軸方向に入射した光だけでなく、反射部２Ｃに対してＸ軸方向に入射した光も、反射主面２１と第１接続面２３及び第２接続面２２とを含む反射面２４によって、基材３の一方の面３１における正反射角度とは異なる角度に反射される。
【００５６】
また、より具体的には、反射部２Ｃにおいて、第１直線Ｌ１と第２直線Ｌ２との交点Ｃは、第２直線Ｌ２の中点Ｍ２からＸ軸方向に第２直線Ｌ２の長さの１０％以上４０％以下の距離だけずれた位置にあってもよい。この場合、第１直線Ｌ１と第２直線Ｌ２との交点Ｃが、第２直線Ｌ２の中点Ｍ２から第２直線Ｌ２の長さの１０％以上の距離だけずれた位置にあることから、反射面２４に対する反射主面２１の割合が大きくなる。よって、反射部２Ｃへの入射光を効率良く反射することができる。また、第１直線Ｌ１と第２直線Ｌ２との交点Ｃが、第２直線Ｌ２の中点Ｍ２から第２直線Ｌ２の長さの４０％以下の距離だけずれた位置にあることから、一対の第２湾曲部４３，４４の内、Ｘ軸方向における頂点４３ａ，４４ａから第１直線Ｌ１と第２直線Ｌ２との交点Ｃまでの距離が小さい方の第２湾曲部４４において、基材３の一方の面３１に対する反射部２Ｃの立ち上る角度が過大になることが抑制される。よって、基材３に反射部２Ｃを容易に設けることができる。
【００５７】
また、エンボスシート１では、複数の反射部２の内の少なくとも一部の反射部の反射面２４は、平面視において所定方向（例えば、Ｘ軸方向及びＹ軸方向）に対称形状であってもよい。ここで、基材３の一方の面３１において、照りを生じさせる必要のない位置には反射部２を設けないとすると、非対称形状の反射部２Ａ，２Ｂが設けられている位置との間で光沢の現れ方に違いが生じてしまう。そこで、照りを生じさせる必要のない位置には対称形状の反射部１０２を設けることにより、非対称形状の反射部２Ａ，２Ｂが設けられていない位置との間で光沢の現れ方に違いが生じることを抑制することができる。よって、意匠性を向上させることが可能となる。
【００５８】
ここで、非対称形状の反射部２Ａと対称形状の反射部１０２とにおける照りの有無の違いについて説明する。図８は、対称な反射部（反射面）の形状の一例を示す図である。図８に示されるように、対称形状である反射部１０２は、入射した光を反射する反射主面１２１と、第１接続面１２３及び第２接続面１２２とを含む反射面１２４を有している。第１接続面１２３及び第２接続面１２２は、反射主面１２１及び基材３の一方の面３１の間に設けられている。反射主面１２１は、Ｘ軸方向に垂直な断面において直線状を呈し、入射した光を反射する。反射部１０２は、Ｘ軸方向に垂直な断面における反射主面１２１の直線が一方の面３１に対して平行となるように形成されている。
【００５９】
また、反射部１０２のＺ軸方向視（平面視）における外周である縁部１４０は、Ｙ軸方向に対向する一対の湾曲部１４１，１４２と、Ｘ軸方向に対向する一対の直線部１４３，１４４とを有している。
【００６０】
図９は、非対称な反射部（反射面）と対称な反射部（反射面）とにおける反射光分布を対比して示す図である。図９は、非対称形状の反射部２Ａと対称形状の反射部１０２とのそれぞれに対して光を入射させたときの反射角度と反射光強度との関係を示している。図９では、反射部２Ａとして、角度θ１の互いに異なる２つの反射部２Ａ（角度θ１が相対的に小さい反射部２Ａ、及び、角度θ１が相対的に大きい反射部２Ａ）の場合を例示している。なお、ここでは、入射光は基材３の一方の面３１に対して斜め３０ｄｅｇの角度で入射している。
【００６１】
図９に示されるように、角度θ１が相対的に小さい反射部２Ａでは、正反射の位置に加えて、約３８ｄｅｇの反射角度の位置にも反射光強度のピークが発生している。また、角度θ１が相対的に大きい反射部２Ａでは、正反射の位置に加えて、約４８ｄｅｇの反射角度の位置にも反射光強度のピークが発生している。このように、非対称形状の反射部２Ａによって照りが生じることが確認された。
【００６２】
一方、対称形状の反射部１０２では、正反射の位置以外には反射光強度のピークは発生していない。よって、対称形状の反射部１０２では、非対称形状の反射部２Ａと比較して照りを好適に表現することができないことが確認された。
【符号の説明】
【００６３】
１…エンボスシート、２，２Ａ，２Ｂ，２Ｃ…反射部、３…基材、５…化粧シート、２１…反射主面、２２…第２接続面（接続面）、２３…第１接続面（接続面）、２４…反射面、３１…一方の面、４０…縁部、４１，４２…第１湾曲部、４３，４４…第２湾曲部、４１ａ，４２ａ，４３ａ，４４ａ…頂点、４５…中間部（第１中間部）、４６…中間部（第２中間部）、４７，４８…中間部、Ｃ…交点、Ｌ１…第１直線、Ｌ２…第２直線、Ｌ３…第３直線、Ｌ４…第４直線、Ｍ１，Ｍ２…中点。
【図１】
2017217825.tif 000003
【図２】
2017217825.tif 000004
【図３】
2017217825.tif 000005
【図４】
2017217825.tif 000006
【図５】
2017217825.tif 000007
【図６】
2017217825.tif 000008
【図７】
2017217825.tif 000009
【図８】
2017217825.tif 000010
【図９】
2017217825.tif 000011